(57)【要約】【課題】  受け手側で生じる受信に伴う紙やインク等のコストを、送信者側で負担する手段を提供する。【解決手段】ファックス送信命令と支払命令の入力手段１と、電話番号情報を含む受手人データが記録された記録手段２と、入力手段１と記録手段２とに接続された命令実行手段３と、命令実行手段３に接続された料金通知手段４とを有し、命令実行手段３と料金通知手段４とが、通信回線５に接続され、命令実行手段３が、ファックスを、通信回線を通じて、対象電話番号の通信機器６に、送信すると共に、料金通知手段４が、ファックスの送信に応じて受手人に発生する紙等のコストに相当する料金の支払情報を、通信回線５を通じて、電話番号に対応した電話料金を管理する管理センター７に、電話番号情報と共に通知する。【選択図】図1
2007025732.tif 000002
【特許請求の範囲】
【請求項１】
支払命令の入力手段と、
電話番号情報を含む受手人データが記録された記録手段と、
入力手段と記録手段とに接続された命令実行手段と、
命令実行手段に接続された料金通知手段とを有し、
命令実行手段と料金通知手段とが、通信回線に接続され、
料金通知手段が、料金の支払情報を、通信回線を通じて、電話番号に対応した電話料金を管理する管理センターに、電話番号情報と共に通知することを特徴とする、料金支払装置。
【請求項２】
送信命令と支払命令の入力手段と、
電話番号情報を含む受手人データが記録された記録手段と、
入力手段と記録手段とに接続された命令実行手段と、
命令実行手段に接続された料金通知手段とを有し、
命令実行手段と料金通知手段とが、通信回線に接続され、
命令実行手段が、情報の伝達を、通信回線を通じて、対象電話番号の通信機器に、行うと共に、
料金通知手段が、情報伝達に応じた料金の支払情報を、通信回線を通じて、電話番号に対応した電話料金を管理する管理センターに、電話番号情報と共に通知することを特徴とする、料金支払装置。
【請求項３】
ファックス送信命令と支払命令の入力手段と、
電話番号情報を含む受手人データが記録された記録手段と、
入力手段と記録手段とに接続された命令実行手段と、
命令実行手段に接続された料金通知手段とを有し、
命令実行手段と料金通知手段とが、通信回線に接続され、
命令実行手段が、ファックスを、通信回線を通じて、対象電話番号のファクシミリに、送信すると共に、
料金通知手段が、ファックスの送信に応じた料金の支払情報を、通信回線を通じて、電話番号に対応した電話料金を管理する管理センターに、電話番号情報と共に通知することを特徴とする、料金支払装置。
【請求項４】
支払命令の入力手段と、
電話番号情報を含む受手人データが記録された記録手段と、
入力手段と記録手段とに接続された命令実行手段と、
命令実行手段に接続された料金通知手段とを有し、
命令実行手段と料金通知手段とが、通信回線に接続され、
命令実行手段が、通信回線に接続された通信機器からの情報を、電話番号情報を含めて受信すると共に、
料金通知手段が、受信情報に応じた料金の支払情報を、通信回線を通じて、電話番号に対応した電話料金を管理する管理センターに、電話番号情報と共に通知することを特徴とする、料金支払方法。
【請求項５】
支払命令の入力手段と、
電話番号情報を含む受手人データが記録された記録手段と、
入力手段と記録手段とに接続された命令実行手段と、
命令実行手段に接続された料金通知手段とを有し、
命令実行手段と料金通知手段とが、通信回線に接続され、
料金通知手段が、料金の支払情報を、通信回線を通じて、電話番号に対応した電話料金を管理する管理センターに、電話番号情報と共に通知することを特徴とする、料金支払方法。
【請求項６】
送信命令と支払命令の入力手段と、
電話番号情報を含む受手人データが記録された記録手段と、
入力手段と記録手段とに接続された命令実行手段と、
命令実行手段に接続された料金通知手段とを有し、
命令実行手段と料金通知手段とが、通信回線に接続され、
命令実行手段が、情報の伝達を、通信回線を通じて、対象電話番号の通信機器に、行うと共に、
料金通知手段が、情報伝達に応じた料金の支払情報を、通信回線を通じて、電話番号に対応した電話料金を管理する管理センターに、電話番号情報と共に通知することを特徴とする、料金支払方法。
【請求項７】
ファックス送信命令と支払命令の入力手段と、
電話番号情報を含む受手人データが記録された記録手段と、
入力手段と記録手段とに接続された命令実行手段と、
命令実行手段に接続された料金通知手段とを有し、
命令実行手段と料金通知手段とが、通信回線に接続され、
命令実行手段が、ファックスを、通信回線を通じて、対象電話番号のファクシミリに、送信すると共に、
料金通知手段が、ファックスの送信に応じた料金の支払情報を、通信回線を通じて、電話番号に対応した電話料金を管理する管理センターに、電話番号情報と共に通知することを特徴とする、料金支払方法。
【請求項８】
支払命令の入力手段と、
電話番号情報を含む受手人データが記録された記録手段と、
入力手段と記録手段とに接続された命令実行手段と、
命令実行手段に接続された料金通知手段とを有し、
命令実行手段と料金通知手段とが、通信回線に接続され、
命令実行手段が、通信回線に接続された通信機器からの情報を、電話番号情報を含めて受信すると共に、
料金通知手段が、受信情報に応じた料金の支払情報を、通信回線を通じて、電話番号に対応した電話料金を管理する管理センターに、電話番号情報と共に通知することを特徴とする、料金支払方法。
【発明の詳細な説明】
【技術分野】
【０００１】
本発明は、通信手段を介して行われる料金支払装置及び料金支払方法に関する。
【背景技術】
【０００２】
一般に、電話番号に対応した電話料金から、通話料の他に、インターネットの接続等による情報料や、音楽等のダウンロード料等を徴収することは、行われている。
すなわち、通常の通話料等の電話料金に、情報料等として徴収する料金を加算し、月単位で、使用者に電話料金として、まとめて請求している。
【０００３】
しかしながら、電話番号に対応した電話料金に、コスト・手数料・受手人から提供される情報料・報酬等としての料金分を減算し、月単位で、使用者に電話料金として、まとめて請求する技術は知られていない。
すなわち、電話番号に対応した受手人の電話料金を、コスト・手数料・受手人から提供される情報料・報酬等に応じて安くする技術は知られていない。
【０００４】
ところで、例えば、ファクシミリにより、広告情報を提供する場合にあっては、受信に伴う紙やインク等のコストが、受信者に一方的にかかることになる。
そのため、受信者は、気分を害し、広告を見ないことが多いので、ファクシミリによる広告は、特に一般家庭において、有効なものとはいえなかった。
【０００５】
ここで、受信に伴う紙やインク等のコストを、送信者側で負担することが考えられるが、そのための具体的な手段が存在しなかった。
【０００６】
また、ファクシミリでアンケートを行う場合に、返信に対する報酬を、図書券等の郵送によって支払うことは、行われていた。
しかしながら、郵送は、手続面で手間がかかる上に、郵送料金等のコストもかかり、アンケートの報酬支払い手段として、有効なものではなかった。
【０００７】
なお、ファクシミリを含めた広告情報の提供装置として、特許文献１（特開平９−９１３５８号公報）に、送り手から受け手へ送られる情報の配信に関する処理を行う情報処理システムにおいて、前記受け手の受け手属性と前記送られる情報に対する希望条件を含み、該受け手が設定する情報受信要件と、該送られる情報の情報属性と前記送り手の該受け手に対する希望条件を含み、該送り手が設定する情報送信要件とを入力する入力手段と、前記情報属性が前記情報に対する希望条件を満足し、前記受け手属性が前記受け手に対する希望条件を満足する場合に、前記送り手から前記受け手への情報配信を許可する処理手段とを備えることを特徴とする情報提供装置が記載されている。
【特許文献１】特開平９−９１３５８号公報
【発明の開示】
【発明が解決しようとする課題】
【０００８】
しかしながら、特許文献１には、受け手側で生じる受信に伴う紙やインク等のコストを、送信者側で負担することは記載されておらず、特に一般家庭において、広告情報の提供が有効なものとはいえないと思われる。
【０００９】
すなわち、本発明が解決しようとする課題は、受け手側で生じる受信に伴う紙やインク等のコストを、送信者側で負担する手段を提供することにある。
【００１０】
さらに、本発明の解決しようとする課題は、電話番号に対応した電話料金に、コスト・手数料・受手人から提供される情報料・報酬等としての料金分を減算し、月単位で、使用者に電話料金として、まとめて請求する技術を提供することにある。
【課題を解決するための手段】
【００１１】
第１に、
支払命令の入力手段と、
電話番号情報を含む受手人データが記録された記録手段と、
入力手段と記録手段とに接続された命令実行手段と、
命令実行手段に接続された料金通知手段とを有し、
命令実行手段と料金通知手段とが、通信回線に接続され、
料金通知手段が、料金の支払情報を、通信回線を通じて、電話番号に対応した電話料金を管理する管理センターに、電話番号情報と共に通知することを特徴とする、料金支払装置。
第２に、
送信命令と支払命令の入力手段と、
電話番号情報を含む受手人データが記録された記録手段と、
入力手段と記録手段とに接続された命令実行手段と、
命令実行手段に接続された料金通知手段とを有し、
命令実行手段と料金通知手段とが、通信回線に接続され、
命令実行手段が、情報の伝達を、通信回線を通じて、対象電話番号の通信機器に、行うと共に、
料金通知手段が、情報伝達に応じた料金の支払情報を、通信回線を通じて、電話番号に対応した電話料金を管理する管理センターに、電話番号情報と共に通知することを特徴とする、料金支払装置。
第３に、
ファックス送信命令と支払命令の入力手段と、
電話番号情報を含む受手人データが記録された記録手段と、
入力手段と記録手段とに接続された命令実行手段と、
命令実行手段に接続された料金通知手段とを有し、
命令実行手段と料金通知手段とが、通信回線に接続され、
命令実行手段が、ファックスを、通信回線を通じて、対象電話番号のファクシミリに、送信すると共に、
料金通知手段が、ファックスの送信に応じた料金の支払情報を、通信回線を通じて、電話番号に対応した電話料金を管理する管理センターに、電話番号情報と共に通知することを特徴とする、料金支払装置。
第４に、
支払命令の入力手段と、
電話番号情報を含む受手人データが記録された記録手段と、
入力手段と記録手段とに接続された命令実行手段と、
命令実行手段に接続された料金通知手段とを有し、
命令実行手段と料金通知手段とが、通信回線に接続され、
命令実行手段が、通信回線に接続された通信機器からの情報を、電話番号情報を含めて受信すると共に、
料金通知手段が、受信情報に応じた料金の支払情報を、通信回線を通じて、電話番号に対応した電話料金を管理する管理センターに、電話番号情報と共に通知することを特徴とする、料金支払方法。
第５に、
支払命令の入力手段と、
電話番号情報を含む受手人データが記録された記録手段と、
入力手段と記録手段とに接続された命令実行手段と、
命令実行手段に接続された料金通知手段とを有し、
命令実行手段と料金通知手段とが、通信回線に接続され、
料金通知手段が、料金の支払情報を、通信回線を通じて、電話番号に対応した電話料金を管理する管理センターに、電話番号情報と共に通知することを特徴とする、料金支払方法。
第６に、
送信命令と支払命令の入力手段と、
電話番号情報を含む受手人データが記録された記録手段と、
入力手段と記録手段とに接続された命令実行手段と、
命令実行手段に接続された料金通知手段とを有し、
命令実行手段と料金通知手段とが、通信回線に接続され、
命令実行手段が、情報の伝達を、通信回線を通じて、対象電話番号の通信機器に、行うと共に、
料金通知手段が、情報伝達に応じた料金の支払情報を、通信回線を通じて、電話番号に対応した電話料金を管理する管理センターに、電話番号情報と共に通知することを特徴とする、料金支払方法。
第７に、
ファックス送信命令と支払命令の入力手段と、
電話番号情報を含む受手人データが記録された記録手段と、
入力手段と記録手段とに接続された命令実行手段と、
命令実行手段に接続された料金通知手段とを有し、
命令実行手段と料金通知手段とが、通信回線に接続され、
命令実行手段が、ファックスを、通信回線を通じて、対象電話番号のファクシミリに、送信すると共に、
料金通知手段が、ファックスの送信に応じた料金の支払情報を、通信回線を通じて、電話番号に対応した電話料金を管理する管理センターに、電話番号情報と共に通知することを特徴とする、料金支払方法。
第８に、
支払命令の入力手段と、
電話番号情報を含む受手人データが記録された記録手段と、
入力手段と記録手段とに接続された命令実行手段と、
命令実行手段に接続された料金通知手段とを有し、
命令実行手段と料金通知手段とが、通信回線に接続され、
命令実行手段が、通信回線に接続された通信機器からの情報を、電話番号情報を含めて受信すると共に、
料金通知手段が、受信情報に応じた料金の支払情報を、通信回線を通じて、電話番号に対応した電話料金を管理する管理センターに、電話番号情報と共に通知することを特徴とする、料金支払方法。
【００１２】
ここで、入力手段や記録手段は、通信回線を通じて命令実行手段に接続したものでもよい。
【００１３】
また、管理センターとは、情報等の受け手側の電話番号を管理する各種の通信会社における、電話料金の管理部門のことを示し、単独で機能する管理サーバーや、他の機能を含む複合サーバーの他にも、電話の管理運営システムそのものに組み込まれたもの等を示す。
【発明の効果】
【００１４】
本発明によると、受け手側で生じる受信に伴う紙やインク等のコストを、送信者側で負担する手段を提供することができる。
【００１５】
さらに、本発明は、電話番号に対応した電話料金に、コスト・手数料・受手人から提供される情報料・報酬等としての料金分を減算し、月単位で、使用者に電話料金として、まとめて請求する技術を提供することができる。
【図面の簡単な説明】
【００１６】
【図１】本発明の実施形態の概略図である。
【符号の説明】
【００１７】
１  入力手段
２  記録手段
３  命令実行手段
４  料金通知手段
５  通信回線
６  通信機器
７  管理センター
【発明を実施するための最良の形態】
【００１８】
［第１例］
【００１９】
本例では、情報伝達として広告宣伝用のファクシミリを、受手人の通信機器であるファクスに送信する場合について説明する。
【００２０】
本例に係る料金支払装置は、ファックス送信命令と支払命令との入力手段１と、電話番号情報を含む受手人データが記録された記録手段２と、入力手段１と記録手段２とに接続された命令実行手段３と、命令実行手段３に接続された料金通知手段４とを有している。
【００２１】
入力手段１は、例えば地域等から選択された複数の受手人に対して、ファックスを送信することを命じるファックス送信命令の入力と、ファックス送信における受手人側に発生する紙やインク代等のコストを、例えば、１枚のファクス受信当たり５円を支払う等の支払命令の入力を、キーボードやタッチパネル等により受けるものである。
【００２２】
記録手段２は、複数の受手人の電話番号、住所、性別、職業、年齢等の各種のデータを含む受手人データを記録したものであり、命令実行手段３と共に、同じサーバー内に形成することもできるし、通信回線５を介して、外部に接続した記録手段２を用いることもできる。
【００２３】
命令実行手段３は、入力されたファックスの送信命令に従い、記録手段２から条件に合致した受手人を選択してリスト化し、このリストに基づいてファックスを順次送信するものである。
また、命令実行手段３は、受手人に対する送信が完了した場合、すなわち、受手人がファックスを受信した場合に、この受手人のリストに基づいて、料金通知手段４に支払情報を連絡するものである。
【００２４】
ここで、命令実行手段３と料金通知手段４とは、通信回線５に接続されている。
【００２５】
この通信回線５には、受手人の通信機器６としてのファクシミリと、受手人側の電話番号を管理する通信会社における、電話料金の管理部門である管理センター７とが接続されている。
【００２６】
そして、命令実行手段３が、ファックスを、通信回線５を通じて、受手人の対象電話番号の通信機器６であるファクシミリに送信する。
【００２７】
すると、料金通知手段４が、命令実行手段３から連絡された、ファックスの送信によって受手人側に発生する紙やインクのコスト代としての料金の支払情報を、通信回線５を通じて、電話番号に対応した電話料金を管理する管理センター７に、電話番号情報と共に通知する。
【００２８】
この通知によって、管理センター７は、受手人の電話番号に対応した電話料金に、支払い情報に応じた料金分を減算し、月単位で、使用者に電話料金として、まとめて請求する。
【００２９】
これにより、受け手側で生じる受信に伴う紙やインク等のコストを、送信者側で負担する手段の提供が可能になる。
そして、送信するファックスに、受信による紙やインク等のコストを、送信側で負担することを明らかにしておくことで、受信者が、気分を害することなしに、広告を見ることが期待できる。
その結果、ファクシミリによる広告が、特に一般家庭において、有効なものとなる。
【００３０】
［第２例］
【００３１】
本例では、受手人の通信機器６であるファクスから、アンケート等の情報が発信され、この情報を、受信し、該受信情報を処理する場合について説明する。
【００３２】
本例に係る料金支払装置は、支払命令の入力手段１と、電話番号情報を含む受手人データが記録された記録手段２と、記録手段２に接続された命令実行手段３と、命令実行手段３に接続された料金通知手段４とを有している。
【００３３】
入力手段１は、アンケートのファックス受信において、受手人側に支払うべきアンケートに対する報酬を、例えば、１アンケート当たり１００円を支払う等の支払命令の入力を、キーボードやタッチパネル等により受けるものである。
【００３４】
記録手段２は、複数の受手人の電話番号、住所、性別、職業、年齢等の各種のデータを含む受手人データを記録したものであり、命令実行手段３と共に、同じサーバー内に形成することもできるし、通信回線５を介して、外部に接続した記録手段２を用いることもできる。
【００３５】
命令実行手段３は、受手人からのファックスを受信した場合に、この受手人のリストに基づいて、料金通知手段４に支払情報を連絡するものである。
【００３６】
ここで、命令実行手段３と料金通知手段４とは、通信回線５に接続されている。
【００３７】
この通信回線５には、受手人の通信機器６としてのファクシミリと、受手人側の電話番号を管理する通信会社における、電話料金の管理部門である管理センター７とが接続されている。
【００３８】
そして、命令実行手段３が、受手人からのファックスを受信すると、受手人のリストに基づいて、料金通知手段４に支払情報を連絡する。
【００３９】
すると、料金通知手段４が、命令実行手段３から連絡されたアンケートの報酬としての料金の支払情報を、通信回線５を通じて、電話番号に対応した電話料金を管理する管理センター７に、電話番号情報と共に通知する。
【００４０】
この通知によって、管理センター７は、受手人の電話番号に対応した電話料金に、支払い情報に応じた料金分を減算し、月単位で、使用者に電話料金として、まとめて請求する。
【００４１】
これにより、受け手側は、報酬を受け取ることが可能となり、気軽にアンケートに回答するようになる。
その結果、アンケートの回収率が向上し、有意義なアンケート調査を行うことが可能となる。
【００４２】
なお、上記のようなアンケートは、通信機器６として、ファクシミリを用いる場合に限定されず、例えば、ＰＨＳや携帯電話における電話番号を用いたメールにも応用可能である。
例えば、入力されたメール送信命令に従い、記録手段２から条件に合致した受手人を選択してリスト化し、このリストに基づいてメールを順次送信する命令実行手段３により送信された、ＰＨＳや携帯電話へのアンケート依頼メールに対して、受手人側が回答して返信することで発生するアンケート報酬を、電話番号に対応する電話料金に報酬相当額の減算で対応することが可能となる。
その結果、メールによるアンケートの回収率が向上し、有意義なアンケート調査を行うことが可能となる。
【００４３】
［第３例］
【００４４】
本例では、受手人の通信機器６とは関係なしに、入力手段により入力された料金支払命令に応じて、料金の支払いを、電話料金として処理する場合について説明する。
【００４５】
本例に係る料金支払装置は、支払命令の入力手段１と、電話番号情報を含む受手人データが記録された記録手段２と、記録手段２に接続された命令実行手段３と、命令実行手段３に接続された料金通知手段４とを有している。
【００４６】
入力手段１は、受手人側に支払うべき料金、例えば、モニタとしての協力費や、オペレータとしてのバイト料等の支払命令の入力を、キーボードやタッチパネル等により受けるものである。
【００４７】
記録手段２は、複数の受手人の電話番号、住所、性別、職業、年齢等の各種のデータを含む受手人データを記録したものであり、命令実行手段３と共に、同じサーバー内に形成することもできるし、通信回線５を介して、外部に接続した記録手段２を用いることもできる。
【００４８】
命令実行手段３は、入力手段１からの料金支払命令に対応した受手人のリストに基づいて、料金通知手段４に支払情報を連絡するものである。
【００４９】
ここで、命令実行手段３と料金通知手段４とは、通信回線５に接続されている。
【００５０】
この通信回線５には、受手人側の電話番号を管理する通信会社における、電話料金の管理部門である管理センター７とが接続されている。
【００５１】
そして、命令実行手段３が、入力手段１からの支払命令を受けると、受手人のリストに基づいて、料金通知手段４に支払情報を連絡する。
【００５２】
すると、料金通知手段４が、支払情報を、通信回線５を通じて、電話番号に対応した電話料金を管理する管理センター７に、電話番号情報と共に通知する。
【００５３】
この通知によって、管理センター７は、受手人の電話番号に対応した電話料金に、支払い情報に応じた料金分を減算し、月単位で、使用者に電話料金として、まとめて請求する。
【００５４】
これにより、受け手側は、モニタ料やバイト料等の報酬を受け取ることが可能となり、気軽にモニタやバイトに参加できるようになる。
【図１】
2007025732.tif 000003